(57)【要約】      （修正有）【課題】少ない部品点数で面材を固定でき、製造コストを削減することができ、後付けビードやシーリング材を使用せず、容易に施工でき、専用の工具や養生期間が不要であり、メンテナンスも容易な面材取付構造を提供する。【解決手段】面材１４と、面材１４の少なくとも一側部を保持する横枠１５と、を備え、横枠１５は、気密材を取り付けた受部１５ｅと、この受部１５ｅに対向して設けられる支持部１５ｃと、を備え、面材１４は、受部１５ｅと支持部１５ｅとの間に差し込まれて保持される。【選択図】図３
2014125841.tif 000002
【特許請求の範囲】
【請求項１】
面材と、
前記面材の少なくとも一側部を保持する横枠と、
を備え、
前記横枠は、気密材を取り付けた受部と、この受部に対向して設けられる支持部と、を備え、
前記面材は、前記受部と前記支持部との間に差し込まれて保持されることを特徴とする、面材取付構造。
【請求項２】
前記受部と前記支持部とを前記面材の見付方向にずらして配置したことを特徴とする、請求項１記載の面材取付構造。
【請求項３】
前記受部と前記支持部との間に前記面材を回転させるための回転用空間を形成したことを特徴とする、請求項１又は２記載の面材取付構造。
【請求項４】
前記横枠は、一体形成されて躯体に取り付けられることを特徴とする、請求項１〜３のいずれかに記載の面材取付構造。
【請求項５】
前記面材の上下端部を支持する上枠及び下枠を備え、
前記横枠は、前記面材を斜めに差し込み可能な保持溝を備えるとともに、差し込んだ前記面材を取り付け位置まで回転させたときに前記保持溝の両側に設けられた前記受部及び前記支持部によって前記面材を両側から保持し、
前記上枠及び前記下枠は、前記取り付け位置まで回転させた前記面材の一方の表面に当接する当接部を備え、前記当接部が前記一方の表面に当接した状態で前記上枠及び前記下枠に押え部材を取り付けることで、前記当接部と前記押え部材とにより前記面材の上下を固定したことを特徴とする、請求項１〜４のいずれかに記載の面材取付構造。
【発明の詳細な説明】
【技術分野】
【０００１】
この発明は、枠体に面材を取り付けるための面材取付構造に関する。
【背景技術】
【０００２】
枠体にガラス等の面材を取り付ける一般的な方法としては、シーリング材を使用する方法や後付けビードを使用する方法が知られている。後付けビードを使用する場合、まず枠体に先付ビードを四周連続して取り付けた後に面材を設置し、先付ビードの反対側から後付ビードをガラス板と枠体との隙間に圧入して介挿する（例えば特許文献１参照）。また、シーリング材を使用する場合には、枠体に面材を設置した後に枠体と面材との隙間にシーリング材を充填する。
【先行技術文献】
【特許文献】
【０００３】
【特許文献１】特開２０１２−６７５０４号公報
【発明の概要】
【発明が解決しようとする課題】
【０００４】
しかし、上記した従来の後付けビードを使用する方法では、施工の手間が多く、また、後付けビードの圧入不足や経年劣化により四隅に浮きが生じるなどの問題があった。しかも、後付けビードを取り付けるために専用の器具が必要であるため、ガラス専門でない施工業者による作業が制限されるといった問題もあった。
【０００５】
また、シーリング材を使用する方法においても、施工の手間や経年劣化などの問題は同様に生じるものであり、これらの問題に加えて、シーリング材の養生期間が必要であるため施工に時間がかかり、また、面材の交換等のメンテナンスが困難であるという問題がある。
【０００６】
そこで、本発明は、容易に施工できるとともに、専用の工具や養生期間が不要であり、メンテナンスも容易な面材取付構造を提供することを課題とする。
【課題を解決するための手段】
【０００７】
本発明は、上記した課題を解決するためになされたものであり、以下を特徴とする。
【０００８】
（請求項１）
請求項１に記載の面材取付構造は、面材と、前記面材の少なくとも一側部を保持する横枠と、を備え、前記横枠は、気密材を取り付けた受部と、この受部に対向して設けられる支持部と、を備え、前記面材は、前記受部と前記支持部との間に差し込まれて保持されることを特徴とする。
【０００９】
（請求項２）
請求項２に記載の発明は、上記した請求項１記載の発明の特徴点に加え、以下の点を特徴とする。
【００１０】
すなわち、前記受部と前記支持部とを前記面材の見付方向にずらして配置したことを特徴とする。
【００１１】
（請求項３）
請求項３に記載の発明は、上記した請求項１又は２記載の発明の特徴点に加え、以下の点を特徴とする。
【００１２】
すなわち、前記受部と前記支持部との間に前記面材を回転させるための回転用空間を形成したことを特徴とする。
【００１３】
（請求項４）
請求項４に記載の発明は、上記した請求項１〜３のいずれかに記載の発明の特徴点に加え、以下の点を特徴とする。
【００１４】
すなわち、前記横枠は、一体形成されて躯体に取り付けられることを特徴とする。
【００１５】
（請求項５）
請求項５に記載の発明は、上記した請求項１〜４のいずれかに記載の発明の特徴点に加え、以下の点を特徴とする。
【００１６】
すなわち、前記面材の上下端部を支持する上枠及び下枠を備え、前記横枠は、前記面材を斜めに差し込み可能な保持溝を備えるとともに、差し込んだ前記面材を取り付け位置まで回転させたときに前記保持溝の両側に設けられた前記受部及び前記支持部によって前記面材を両側から保持し、前記上枠及び前記下枠は、前記取り付け位置まで回転させた前記面材の一方の表面に当接する当接部を備え、前記当接部が前記一方の表面に当接した状態で前記上枠及び前記下枠に押え部材を取り付けることで、前記当接部と前記押え部材とにより前記面材の上下を固定したことを特徴とする。
【発明の効果】
【００１７】
請求項１に記載の発明は上記の通りであり、面材と、前記面材の少なくとも一側部を保持する横枠と、を備え、前記横枠は、気密材を取り付けた受部と、この受部に対向して設けられる支持部と、を備え、前記面材は、前記受部と前記支持部との間に差し込まれて保持される。このように、少ない部品点数で面材を固定できるので、製造コストを削減することができる。また、後付けビードやシーリング材を使用しないので、容易に施工できるとともに、後付けビードやシーリング材を使用した場合の諸問題（後付けビードの圧入不足や経年劣化により四隅に浮きが生じるなどの問題、後付けビードを取り付けるために専用の器具が必要となる問題、シーリング材の養生期間が必要となる問題、面材の交換等のメンテナンスが困難であるという問題）が発生しない。また、後付けビードやシーリング材が露出しないため仕上がりが美しく、かつ経年劣化による変化が意匠上発生し難いので、意匠性を向上させることもできる。
【００１８】
また、請求項２に記載の発明は上記の通りであり、前記受部と前記支持部とを前記面材の見付方向にずらして配置したので、面材をけんどん式に嵌め込むことが容易となる。
【００１９】
また、請求項３に記載の発明は上記の通りであり、前記受部と前記支持部との間に前記面材を回転させるための回転用空間を形成したので、回転用空間を利用して面材をけんどん式に嵌め込むことできる。
【００２０】
また、請求項４に記載の発明は上記の通りであり、前記横枠は一体形成されて躯体に取り付けられるので、部品点数を減らせるとともに、施工が容易である。
【００２１】
また、請求項５に記載の発明は上記の通りであり、上枠及び下枠に押え部材を取り付けることで面材の上下を固定できるので、簡単な施工で確実に面材を支持することができる。
【図面の簡単な説明】
【００２２】
【図１】本発明に係る面材取付構造を備えた門戸の外観図である。
【図２】面材を横枠に斜めに差し込んで回転させる様子を示す図である。
【図３】面材を横枠に斜めに差し込んで回転させる様子を示す一部拡大図である。
【図４】上枠及び下枠に押え部材を取り付ける様子を示す図である。
【図５】上枠に押え部材を取り付ける様子を示す一部拡大図である。
【図６】下枠に押え部材を取り付ける様子を示す一部拡大図である。
【図７】面材の間に接続部材を取り付ける様子を示す図である。
【図８】面材の間に接続部材を取り付ける様子を示す一部拡大図である。
【発明を実施するための形態】
【００２３】
本発明の実施形態について、本発明に係る面材取付構造を備えた門戸を例に説明する。
【００２４】
本実施形態に係る門戸は、屋外に配置されるものであり、図１に示すような高尺の引戸１０を備えている。この引戸１０は、上レール１２に吊り込まれて水平方向に摺動する上吊式の引戸１０であり、下部にはレールを設けない構造となっている。
【００２５】
この引戸１０の上部両端付近にはローラ部材１１が取り付けられており、このローラ部材１１が上レール１２に係合することで、引戸１０が上レール１２に吊り支持されている。
【００２６】
また、本実施形態に係る門戸は、２枚の面材１４（本実施形態においては、２枚の半透明のガラスパネル）を横並びに連設した目隠し用のスクリーンを備えている。この目隠し用のスクリーンは引戸１０の戸袋を兼ねており、引戸１０が解放されたときに引戸１０の裏側（建物側）を覆うように配置される。
【００２７】
上記したスクリーンは、２枚の面材１４の他に、横枠１５と、横枠カバー２４と、横枠固定ネジ２５と、上枠１６と、上枠押え部材１７と、下枠１８と、下枠押え部材１９と、表側接続部材２０と、裏側接続部材２１と、接続部材固定ネジ２２と、接続部材カバー２３と、を備えている。
【００２８】
横枠１５は、面材１４の一側部を保持する枠材であり、図１〜３に示すように、地上に立設した柱１３に取り付けられる。この横枠１５は、互いに対向するように両側に配設され、それぞれが２枚の面材１４の一側部を保持するようになっている。なお、この両側の横枠１５に２枚の面材１４を取り付けると、２枚の面材１４の開放端部（横枠１５に保持されていない側の端部）が互いに間隙Ｓを設けて臨むように配置される。
【００２９】
この横枠１５は、図３に示すように、面材１４を斜めに差し込み可能な保持溝１５ａを備えている。保持溝１５ａは、取り付けられた面材１４の表面に対して略平行に突出する表側突出部１５ｂと裏側突出部１５ｄとの間に形成された溝である。表側突出部１５ｂは、面材１４を差し込んだときに面材１４の表側（外部側）にくる突出片である。この表側突出部１５ｂの先端部は略直角に曲折して屈折縁部１５ｃを形成しており、この屈折縁部１５ｃの端部が面材１４の表面に当接するようになっている。裏側突出部１５ｄは、面材１４を差し込んだときに面材１４の裏側（建物側）にくる突出片である。この裏側突出部１５ｄの面材１４に臨む面にはガスケット１５ｅが取り付けられている。
【００３０】
上記した屈折縁部１５ｃ及びガスケット１５ｅは、見込方向に見たときに面材１４の幅と略等しくなるような間隔を設けて保持溝１５ａの両側に配置されている。これにより、屈折縁部１５ｃが支持部を形成し、ガスケット１５ｅが受部を形成するとともに、この支持部と受部とで面材１４を両側から挟み込むように保持するようになっている。なお、ガスケット１５ｅは屈折縁部１５ｃよりも保持溝１５ａの奥側に配置されており、このようにガスケット１５ｅと屈折縁部１５ｃとを見付方向にずらして配置することで、面材１４を保持溝１５ａに斜めに差し込めるように形成されている。また、屈折縁部１５ｃが設けられていることにより、屈折縁部１５ｃの内側には面材１４の側端部を回転させるための回転用空間１５ｆが形成されている。このように回転用空間１５ｆを設けることで、面材１４を保持溝１５ａの奥まで斜めに差し込めるとともに、斜めに差し込んだ面材１４を取り付け位置まで回転させることができるように形成されている。
【００３１】
横枠固定ネジ２５は、上記した横枠１５を柱１３に固定するためのネジであり、図３に示すように、面材１４の裏側（建物側）において、横枠１５を貫通して柱１３に螺合している。
【００３２】
横枠カバー２４は、上記した横枠１５に取り付けられるカバー材であり、横枠固定ネジ２５を隠すように横枠１５に嵌合固定されるものである。
【００３３】
上枠１６は、面材１４の上部を支持する枠材である。この上枠１６は、図５に示すように、面材１４の表側（外部側）に臨むように下方に延出した支持壁部１６ａを備えており、この支持壁部１６ａにはガスケット１６ｂが取り付けられている。このガスケット１６ｂは、上記した保持溝１５ａに差し込んだ面材１４を取り付け位置まで回転させたときに面材１４の表側（外部側）の表面に当接する当接部として機能するものである。
【００３４】
なお、この上枠１６は、面材１４の上方付近に側面視略Ｌ字形の突起１６ｃを備えており、この突起１６ｃによって裏側（建物側）に向けて開口した係止溝１６ｄが形成されている。
【００３５】
上枠押え部材１７は、上記した上枠１６に取り付けられる部材である。この上枠押え部材１７は、図５に示すように、天面部１７ａと挟持部１７ｃとが略直角に接続された側面視略Ｌ字形の部材である。天面部１７ａの先端には、上記した上枠１６の係止溝１６ｄに挿入可能な係止突起１７ｂが設けられており、この係止突起１７ｂを係止溝１６ｄに挿入して係止させることで、上枠押え部材１７は上枠１６に取り付けられる。
【００３６】
また、挟持部１７ｃの下部にはガスケット１７ｄが固定されており、上枠押え部材１７を上枠１６に取り付けたときに、この上枠押え部材１７のガスケット１７ｄと上枠１６のガスケット１６ｂとで面材１４を挟持できるように形成されている。
【００３７】
下枠１８は、面材１４の下部を支持する枠材である。この下枠１８は、図６に示すように、面材１４の表側（外部側）に臨むように上方に延出した支持壁部１８ａを備えており、この支持壁部１８ａにはガスケット１８ｂが取り付けられている。このガスケット１８ｂは、上記した保持溝１５ａに差し込んだ面材１４を取り付け位置まで回転させたときに面材１４の表側（外部側）の表面に当接する当接部として機能するものである。
【００３８】
また、この下枠１８は、面材１４を載置するための略水平な載置面１８ｄを備えている。この載置面１８ｄに面材１４を載置する際には、載置面１８ｄの上に緩衝部材１８ｅを配置し、この緩衝部材１８ｅの上に面材１４を載置する。なお、載置面１８ｄの下方には、略水平方向に開口した係止溝１８ｃが形成されている。
【００３９】
下枠押え部材１９は、上記した下枠１８に取り付けられる部材である。この下枠押え部材１９は、図６に示すように、底面部１９ａと挟持部１９ｃとが略直角に接続された側面視略Ｌ字形の部材である。底面部１９ａの先端には、上記した下枠１８の係止溝１８ｃに挿入可能な係止突起１９ｂが設けられており、この係止突起１９ｂを係止溝１８ｃに挿入して係止させることで、下枠押え部材１９は下枠１８に取り付けられる。
【００４０】
また、挟持部１９ｃの上部にはガスケット１９ｄが固定されており、下枠押え部材１９を下枠１８に取り付けたときに、この下枠押え部材１９のガスケット１９ｄと下枠１８のガスケット１８ｂとで面材１４を挟持できるように形成されている。
【００４１】
表側接続部材２０は、連設した２枚の面材１４の間に表側（外部側）から装着される部材であり、後述する裏側接続部材２１と相俟って面材１４の側端部を挟持するものである。この表側接続部材２０は、図８に示すように、２枚の面材１４の接続部を表側（外部側）から覆うように両側に突出した羽根状部２０ａと、羽根状部２０ａの中央から略直角に突出した２片の挿入部２０ｂと、を備えた平面視略Ｔ字形の部材である。２片の挿入部２０ｂは、互いに接近する方向に弾性変形可能となっており、それぞれの先端部に鉤状の係合爪２０ｃが外向きに形成されている。この係合爪２０ｃは、後述する裏側接続部材２１の係合溝２１ａに嵌合するものである。
【００４２】
裏側接続部材２１は、連設した２枚の面材１４の間に裏側（建物側）から装着される部材である。この裏側接続部材２１は、図８に示すように、係合溝２１ａを備えており、この係合溝２１ａが表側接続部材２０の挿入部２０ｂに臨むように装着される。すなわち、２枚の面材１４の間を通過するように表側接続部材２０の挿入部２０ｂが挿入されたときに、この挿入部２０ｂの先端の係合爪２０ｃが裏側接続部材２１の係合溝２１ａの内側に入り込んで係合するように装着される。
【００４３】
なお、係合溝２１ａの両側にはガスケット２１ｂが取り付けられており、表側接続部材２０と裏側接続部材２１とで面材１４を挟み込んだときに、ガスケット２１ｂと表側接続部材２０の羽根状部２０ａとで面材１４を両面から挟持するように形成されている。
【００４４】
なお、裏側接続部材２１は、後述する接続部材カバー２３を取り付けるためのカバー取付用爪２１ｃを備えている。このカバー取付用爪２１ｃは、ガスケット２１ｂが設けられた逆側の端部が鉤状に屈折して形成されている。
【００４５】
接続部材固定ネジ２２は、表側接続部材２０と裏側接続部材２１とを固定するためのネジであり、表側接続部材２０の係合爪２０ｃと裏側接続部材２１の係合溝２１ａとが係合した状態で裏側接続部材２１の側から挿入されて、表側接続部材２０と裏側接続部材２１とを貫通して固着される。
【００４６】
接続部材カバー２３は、上記した接続部材固定ネジ２２を隠すように裏側接続部材２１に装着されるカバー部材である。この接続部材カバー２３は、上述した裏側接続部材２１のカバー取付用爪２１ｃに係合する係合部２３ａを備えており、カバー取付用爪２１ｃと係合部２３ａとを係合させることで、裏側接続部材２１に装着される。
【００４７】
次に、本実施形態に係る面材１４の取り付け手順について説明する。
【００４８】
面材１４の取り付ける際には、まず、予め柱１３に横枠１５を固定するとともに、上枠１６と下枠１８とを配置して、面材１４を取り付けるための四方枠を設置する。
【００４９】
そして、図２に示すように、両側の横枠１５の保持溝１５ａに、それぞれ別の面材１４を差し込む。このとき、保持溝１５ａの回転用空間１５ｆ（図３参照）を利用して、面材１４の後端部を裏側（建物側）に傾けて斜めに差し込む。その後、斜めに差し込んだ面材１４を回転させ、面材１４が上枠１６及び下枠１８と平行になるように取り付け位置まで回転させる。このように面材１４を取り付け位置まで回転させると、面材１４は、図３（ｃ）に示すように、保持溝１５ａの両側に設けられた支持部及び受部（屈折縁部１５ｃ及びガスケット１５ｅ）で両側から保持されることとなる。このとき、図３（ｃ）に示すように、横枠１５に横枠カバー２４を取り付けてもよい。
【００５０】
なお、面材１４を取り付け位置まで回転させると、図５（ａ）に示すように、面材１４の上部及び下部の表側（外部側）の面は、上枠１６及び下枠１８の当接部（ガスケット１６ｂ及びガスケット１８ｂ）に当接する。これにより、面材１４が確実に取り付け位置まで回転してストップする。
【００５１】
上記のように面材１４を取り付け位置まで回転させたら、図４に示すように、面材１４の裏側（建物側）から上枠１６及び下枠１８に上枠押え部材１７及び下枠押え部材１９を取り付ける。上枠１６に上枠押え部材１７を取り付けると、図５に示すように、上枠１６のガスケット１６ｂと上枠押え部材１７のガスケット１７ｄとにより面材１４の上部が挟みこまれて固定される。また、下枠１８に下枠押え部材１９を取り付けると、図６に示すように、下枠１８のガスケット１８ｂと下枠押え部材１９のガスケット１９ｄとにより面材１４の下部が挟みこまれて固定される。
【００５２】
上枠１６及び下枠１８に上枠押え部材１７及び下枠押え部材１９を取り付けたら、図７に示すように、連設した２枚の面材１４の間に接続部材を取り付ける。すなわち、図８に示すように、連設した２枚の面材１４の間には間隙Ｓが形成されており、この間隙Ｓを埋めるように表側接続部材２０及び裏側接続部材２１を取り付けることで、２枚の面材１４を連結するとともに、面材１４の側部を固定する。
【００５３】
表側接続部材２０及び裏側接続部材２１を取り付ける際には、まず、表側接続部材２０の挿入部２０ｂを間隙Ｓに挿入し、裏側に突出させる。この突出した挿入部２０ｂの先端に裏側接続部材２１を取り付け、表側接続部材２０の係合爪２０ｃと裏側接続部材２１の係合溝２１ａとを係合させる。そして、接続部材固定ネジ２２を締結して表側接続部材２０と裏側接続部材２１とを強固に固定したのち、接続部材固定ネジ２２を覆うように接続部材カバー２３を装着する。
【００５４】
このように表側接続部材２０及び裏側接続部材２１を取り付けると、表側接続部材２０の羽根状部２０ａと裏側接続部材２１のガスケット２１ｂとによって、２枚の面材１４がそれぞれ挟み込まれて保持される。
【００５５】
以上説明したように、本実施形態によれば、横枠１５に斜めに差し込んだ面材１４を取り付け位置まで回転させて面材１４を両側から保持し、上枠１６及び下枠１８に押え部材１７、１９を取り付けることで、上枠１６及び下枠１８の当接部１６ｂ、１８ｂと押え部材１７、１９とにより面材１４の上下を固定する。このように、少ない部品点数で面材１４を固定できるので、製造コストを削減することができる。また、後付けビードやシーリング材を使用しないので、容易に施工できるとともに、後付けビードやシーリング材を使用した場合の諸問題（後付けビードの圧入不足や経年劣化により四隅に浮きが生じるなどの問題、後付けビードを取り付けるために専用の器具が必要となる問題、シーリング材の養生期間が必要となる問題、面材の交換等のメンテナンスが困難であるという問題）が発生しない。また、後付けビードやシーリング材が露出しないため仕上がりが美しく、かつ経年劣化による変化が意匠上発生し難いので、意匠性を向上させることもできる。
【００５６】
また、面材１４を横並びに連設し、連設した面材１４の間に接続部材２０、２１を取り付けるので、複数の面材１４を連設する場合でも容易に施工することができる。
【００５７】
また、横枠１５の屈折縁部１５ｃ（支持部）には気密材が取り付けられていないため、この屈折縁部１５ｃ（支持部）を面材１４の回転支点とすることができる。すなわち、横枠１５の保持溝１５ａに面材１４を斜めに挿入したあと、屈折縁部１５ｃ（支持部）を支点として面材１４を回転させることができる。
【００５８】
なお、上記した実施形態においては、面材１４を横並びに連設したが、これに限らず、１枚の面材１４だけでスクリーン等の構造体を形成してもよい。この場合、面材１４を斜めに差し込む横枠１５の逆側には、上枠１６や下枠１８のように取り付け位置まで回転させた面材１４の一方の表面に当接する当接部を備えた横枠を配置すればよい。そして、この当接部を備えた横枠にも押え部材を取り付けるように形成し、これにより面材１４の側部を保持するようにすればよい。
【００５９】
また、上記した実施形態においては、横枠１５を柱１３に取り付けたが、これに限らず、他の構造体（例えば、図１に示す、面材１４、引戸１０、門周り機能部２６など）に取り付けてもよいし、その他の部位に取り付けてもよい。
【符号の説明】
【００６０】
１０  引戸
１１  ローラ部材
１２  上レール
１３  柱（躯体）
１４  面材
１５  横枠
１５ａ  保持溝
１５ｂ  表側突出部
１５ｃ  屈折縁部（支持部）
１５ｄ  裏側突出部
１５ｅ  ガスケット（受部）
１５ｆ  回転用空間
１６  上枠
１６ａ  支持壁部
１６ｂ  ガスケット（当接部）
１６ｃ  突起
１６ｄ  係止溝
１７  上枠押え部材
１７ａ  天面部
１７ｂ  係止突起
１７ｃ  挟持部
１７ｄ  ガスケット
１８  下枠
１８ａ  支持壁部
１８ｂ  ガスケット（当接部）
１８ｃ  係止溝
１８ｄ  載置面
１８ｅ  緩衝部材
１９  下枠押え部材
１９ａ  底面部
１９ｂ  係止突起
１９ｃ  挟持部
１９ｄ  ガスケット
２０  表側接続部材
２０ａ  羽根状部
２０ｂ  挿入部
２０ｃ  係合爪
２１  裏側接続部材
２１ａ  係合溝
２１ｂ  ガスケット
２１ｃ  カバー取付用爪
２２  接続部材固定ネジ
２３  接続部材カバー
２３ａ  係合部
２４  横枠カバー
２５  横枠固定ネジ
２６  門周り機能部
Ｓ  間隙
【図１】
2014125841.tif 000003
【図２】
2014125841.tif 000004
【図３】
2014125841.tif 000005
【図４】
2014125841.tif 000006
【図５】
2014125841.tif 000007
【図６】
2014125841.tif 000008
【図７】
2014125841.tif 000009
【図８】
2014125841.tif 000010